(57)【要約】  本開示の課題は、評価の精度低下の抑制を図ることである。評価システム（６）は、測定器（７）によって測定される皮膚の測定箇所（５１）における紅斑値及び紅斑の色と異なる色の強度値（メラニン値）を含む測定値を取得する取得部（６０）を備える。第１の態様に係る評価システム（６）は、取得部（６０）で取得する複数の測定値に含まれる紅斑値に基づいて炎症を評価する評価部（６１）を備える。評価部（６１）は、複数の測定値の各々における強度値（メラニン値）が所定の範囲内に収まっている測定値を評価候補の測定値に選出する。評価部（６１）は、評価候補の測定値に含まれる紅斑値に基づいて炎症を評価する。
2019078327.tif 000002
【特許請求の範囲】
【請求項１】
皮膚に生じる炎症を評価する評価システムであって
測定器によって測定される前記皮膚の測定箇所における紅斑値及び紅斑の色と異なる色の強度値を含む測定値を取得する取得部と、
前記取得部で取得する複数の前記測定値に含まれる前記紅斑値に基づいて炎症を評価する評価部と
を備え、
前記評価部は、複数の前記測定値の各々における前記強度値が所定の範囲内に収まっている測定値を評価候補の測定値に選出し、前記評価候補の測定値に含まれる前記紅斑値に基づいて炎症を評価する
炎症の評価システム。
【請求項２】
前記評価部は、前記強度値を第１しきい値及び前記第１しきい値よりも低い第２しきい値のうちの少なくとも一方のしきい値と比較し、複数の前記測定値のうちの前記強度値が前記第１しきい値以下、もしくは前記強度値が前記第２しきい値以上の前記測定値を前記評価候補の測定値に選出する
請求項１記載の炎症の評価システム。
【請求項３】
前記取得部は、所定時間毎に前記測定器で測定される複数の前記測定値を取得し、
前記評価部は、前記所定時間毎に取得された複数の前記測定値から前記評価候補の測定値を選出し、前記評価候補の測定値における前記紅斑値の時間的な変化に基づいて炎症を評価する
請求項１又は２記載の炎症の評価システム。
【請求項４】
少なくとも前記評価候補の測定値に含まれる前記紅斑値を記憶する記憶部を備え、
前記評価部は、前記記憶部に記憶した前記紅斑値に基づいて炎症を評価する
請求項１〜３のいずれか１項に記載の炎症の評価システム。
【請求項５】
皮膚に生じる炎症を評価する評価方法であって
測定器によって測定される前記皮膚の測定箇所における紅斑値及び紅斑の色と異なる色の強度値を含む測定値を取得し、
複数の前記測定値の各々における前記強度値が所定の範囲内に収まっている測定値を評価候補の測定値に選出し、前記評価候補の測定値に含まれる前記紅斑値に基づいて炎症を評価する評価方法。
【請求項６】
コンピュータシステムに、請求項５に記載の評価方法を実行させるためのプログラム。
【請求項７】
コンピュータシステムに、請求項５記載の評価方法を実行させるためのプログラムを記録した、コンピュータシステムに読み取り可能な非一時的記録媒体。
【発明の詳細な説明】
【技術分野】
【０００１】
本開示は、炎症の評価システム、評価方法、プログラム、及び非一時的記録媒体に関し、より詳細には、人の皮膚に生じた炎症の程度を評価する評価システム、評価方法、プログラム、及び非一時的記録媒体に関する。
【背景技術】
【０００２】
人の皮膚に生じる炎症の１つに紅斑がある。紅斑とは、真皮の毛細血管拡張もしくは充血によってもたらされる表皮の赤み（発赤）を指す発疹名である。このような炎症（紅斑）の程度を評価する評価方法の一例が特許文献１に記載されている。【０００３】
特許文献１記載の評価方法は、紅斑が生じている皮膚領域又は粘膜領域の光反射率を測定し、Ｌ*ａ*ｂ*色空間に従って前記測定結果のＬ*値及びａ*値を取得し、取得した値を式（Ｌ*max−Ｌ*）×ａ*に代入して紅斑値を算出している。さらに、特許文献１記載の評価方法では、算出した紅斑値に基づいて炎症の有無並びに炎症の程度を評価している。【０００４】
ところで、紅斑値を測定する際に測定用のデバイスを皮膚に接触させる必要があるが、表皮に存在する体毛が測定用のデバイスと表皮との間に介在し、体毛の影響によって紅斑値の測定誤差が増加する可能性がある。紅斑値の測定誤差が増加すると、炎症の評価の精度も低下してしまう。
【先行技術文献】
【特許文献】
【０００５】
【特許文献１】特表２０１６−５１８８８５号公報
【発明の概要】
【０００６】
本開示の目的は、評価の精度低下の抑制を図ることができる炎症の評価システム、評価方法、プログラム、及び非一時的記録媒体を提供することである。
【０００７】
本開示の一態様に係る炎症の評価システムは、皮膚に生じる炎症を評価する評価システムである。前記評価システムは、測定器によって測定される前記皮膚の測定箇所における紅斑値及び紅斑の色と異なる色の強度値を含む測定値を取得する取得部と、前記取得部で取得する複数の前記測定値に含まれる前記紅斑値に基づいて炎症を評価する評価部とを備える。前記評価部は、複数の前記測定値の各々における前記紅斑値と前記強度値を比較し、比較した前記紅斑値と前記強度値の比率が所定の範囲内に収まっている測定値を評価候補の測定値に選出する。前記評価部は、前記評価候補の測定値に含まれる前記紅斑値に基づいて炎症を評価する。
【０００８】
本開示の一態様に係る評価方法は、皮膚に生じる炎症を評価する評価方法である。前記評価方法では、測定器によって測定される前記皮膚の測定箇所における紅斑値及び紅斑の色と異なる色の強度値を含む測定値を取得し、複数の前記測定値の各々における前記紅斑値と前記強度値を比較する。前記評価方法では、比較した前記紅斑値と前記強度値の比率が所定の範囲内に収まっている測定値を評価候補の測定値に選出し、前記評価候補の測定値に含まれる前記紅斑値に基づいて炎症を評価する。
【０００９】
本開示の一態様に係るプログラムは、コンピュータシステムに、前記評価方法を実行させる。
【００１０】
本開示の一態様に係る非一時的記録媒体は、コンピュータシステムに、脳活動計測装置の評価方法を実行させるためのプログラムを記録した、コンピュータシステムで読み取り可能な非一時的記録媒体である。
【図面の簡単な説明】
【００１１】
【図１】図１は、本開示の一実施形態に係る炎症の評価システムの評価対象である対象者の頭部に装着されるヘッドセットを含む脳波測定システム、及びそれを備えたリハビリテーション支援システムの使用状態を示す概略図である。
【図２】図２は、同上の脳波測定システム及びリハビリテーション支援システムの構成を示すブロック図である。
【図３】図３Ａは、同上のヘッドセットの使用状態を示す概略上面図である。図３Ｂは、同上のヘッドセットの使用状態を示す概略正面図である。
【図４】図４は、同上の評価システムのシステム構成図である。
【図５】図５は、同上の評価システムの動作を説明するためのフローチャートである。
【図６】図６は、同上の評価システムの動作を説明するためのフローチャートである。
【図７】図７は、同上の評価システムにおける測定値を説明するための説明図である。
【図８】図８は、同上の評価システムの動作を説明するための折れ線グラフを示す図である。
【発明を実施するための形態】
【００１２】
下記の実施形態において説明する各図は模式的な図であり、各構成要素の大きさ、厚さ、及びそれらの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
本実施形態に係る評価システムを説明するにあたり、評価システムの評価対象となる炎症について説明する。評価対象となる炎症は、例えば、脳活動計測装置（以下、ヘッドセット１と呼ぶ。）を頭部に装着することによって生じる炎症である。ヘッドセット１は、図１に示すように、情報処理装置２とともに脳波測定システム１０を構成している。
【００１４】
脳波測定システム１０は、対象者５の脳波を測定するためのシステムであって、対象者５の頭部５２の一部である測定箇所５１に対応する位置に配置される電極部１１から、脳波情報を取得する。本開示でいう「脳波」（Electroencephalogram:EEG）とは、大脳の神経細胞（群）の発する電気信号（活動電位）を体外に導出し、記録した波形を意味する。本開示においては、特に断りが無い限り、大脳皮質の多数のニューロン群（神経網）の総括的な活動電位を対象として、これを頭皮に装着した電極部１１を用いて記録する頭皮上脳波を「脳波」という。
【００１５】
脳波測定システム１０は、電極部１１を有するヘッドセット１（図３Ｂ参照）と、情報処理装置２と、を備えている。ヘッドセット１は、対象者５の頭部５２の表面（頭皮）に電極部１１を接触させた状態で、対象者５の頭部５２に装着される。本開示では、電極部１１は、頭部５２の表面に塗布されたペースト（電極糊）上に載せられることで、頭部５２の表面に接触する。このとき、電極部１１は、毛髪をかき分けることにより、毛髪を介さずに頭部５２の表面に接触する。もちろん、電極部１１は、ペーストを塗布することなく、頭部５２の表面に直接、接触してもよい。つまり、本開示では、「電極部１１を頭部５２の表面に接触させる」とは、電極部１１を直接、頭部５２の表面（頭皮を含む）に接触させることの他、中間物を介して電極部１１を間接的に頭部５２の表面に接触させることも含む。中間物は、ペーストに限定されず、例えば導電性を有するゲルであってもよい。
【００１６】
ヘッドセット１は、電極部１１にて対象者５の脳の活動電位を測定することで対象者５の脳波を測定し、脳波を表す脳波情報を生成する。ヘッドセット１は、例えば、無線通信により、脳波情報を情報処理装置２に送信する。
【００１７】
情報処理装置２は、例えば、パーソナルコンピュータ等のコンピュータシステムを主構成とする。情報処理装置２は、例えば、無線通信により、ヘッドセット１からの脳波情報を受信し、ヘッドセット１から取得した脳波情報に対して、種々の処理を施したり、脳波情報を表示したりする。本実施形態では、対象者５が随意運動（voluntary movement）を行う際に生じる（つまり、対象者５が随意運動を行おうと企図した際に生じ得る）特徴的な変化を含む脳波の検出、及びキャリブレーション（calibration）処理等は、情報処理装置２にて行われる。本開示でいう「キャリブレーション処理」は、脳波情報の解析、つまり検出対象となる脳波の検出に用いる各種のパラメータを決定するための処理である。
【００１８】
次に、ヘッドセット１について、図１、図３Ａ及び図３Ｂを用いて説明する。なお、図面に示す「Ｄ１」及び「Ｄ２」の矢印は、いずれも説明のために表記しているに過ぎず、実体を伴わない。
【００１９】
ヘッドセット１は、フレーム１７と、取付部１９と、一対の保持部１８と、を備えている。フレーム１７は、対象者５の頭部５２に装着可能であって、頭部５２に装着された状態で対象者５の正中中心部（vertex）から左耳珠及び右耳珠に向かう第１方向Ｄ１に延びた形状を有している。本開示でいう「正中中心部」は、国際１０−２０法において電極記号「Ｃｚ」で表される位置であって、対象者５の頭部５２において、対象者５の鼻根と後頭結節とを結ぶ線と、左耳５２１の耳珠前点と右耳５２２の耳珠前点とを結ぶ線が交差する部位である。また、本開示でいう「第１方向」は、フレーム１７が頭部５２に装着された状態において、対象者５の正中中心部、左耳珠、及び右耳珠を頭部５２に沿って結ぶ曲線と平行な方向である。
【００２０】
取付部１９は、フレーム１７に設けられて、対象者５の脳波を採取するために用いられる電極部１１を収納可能である。電極部１１は、フレーム１７が頭部５２に装着された状態で、頭部５２の表面の測定箇所５１に対応する位置に接触する。フレーム１７には、一対の取付部１９が設けられている。
【００２１】
一対の保持部１８は、フレーム１７の第１方向Ｄ１の両端に繋がっており、フレーム１７が頭部５２に装着された状態で頭部５２に接触する。言い換えれば、フレーム１７の第１方向Ｄ１の両端には、それぞれ保持部１８が設けられている。そして、これら保持部１８は、フレーム１７が頭部５２に装着された状態で頭部５２に接触することにより、頭部５２に対してフレーム１７を保持する。
【００２２】
上述した脳波測定システム１０は、例えば、図１に示すリハビリテーション支援システム１００に用いられる。
【００２３】
リハビリテーション支援システム１００は、ヘッドセット１を含む脳波測定システム１０を用いて、対象者５のリハビリテーションを支援するためのシステムである。リハビリテーション支援システム１００は、例えば、脳卒中等の脳疾患又は事故等によって、身体の一部に運動麻痺又は運動機能の低下等が生じた人を対象者５として、運動療法によるリハビリテーションを支援する。このような対象者５においては、対象者５が自己の意思又は意図に基づいて行う運動である随意運動が、不能又はその機能の低下により満足にできないことがある。本開示でいう「運動療法」は、対象者５の身体のうち、このような随意運動の不能部位又は機能の低下が生じた部位（以下、「障害部位」という）を運動させることにより、障害部位について随意運動の機能の回復を図る方法を意味する。
【００２４】
リハビリテーション支援システム１００は、図１及び図２に示すように、脳波測定システム１０（ヘッドセット１を含む）と、運動補助装置３と、制御装置４と、を備えている。
【００２５】
運動補助装置３は、対象者５に機械的な刺激と電気的な刺激との少なくとも一方を加えて、対象者５の運動を補助する装置である。運動補助装置３は、対象者５の左手指のリハビリテーションにリハビリテーション支援システム１００が用いられるので、図１に示すように、対象者５の左手に装着される。
【００２６】
以下に説明するリハビリテーション支援システム１００は、対象者５の左手指による把持動作及び伸展動作のリハビリテーションに用いられる。本開示でいう「把持動作」は、物をつかむ動作のことを意味する。また、本開示でいう「伸展動作」は、第１指（親指）を除く４本の手指５３（第２指〜第５指）の伸展により、手を開く動作、つまり把持動作によりつかんでいる状態の「物」を放す動作のことを意味する。つまり、この対象者５においては左手指が障害部位であって、リハビリテーション支援システム１００は、左手指による把持動作及び伸展動作という随意運動についてのリハビリテーションに用いられる。ただし、実際には、リハビリテーション支援システム１００は、対象者５の把持動作を直接的に補助するのではなく、対象者５の手指の伸展動作を補助することで、間接的に把持動作のリハビリテーションを行う。
【００２７】
そのため、リハビリテーション支援システム１００では、対象者５が随意運動として伸展動作を行おうとする場合に、対象者５の左手に装着された運動補助装置３が、対象者５の左の手指５３に機械的な刺激と電気的な刺激との少なくとも一方を加えて、随意運動を補助する。すなわち、リハビリテーション支援システム１００は、対象者５が、ペグ１０１（図１参照）を左手指でつかんだ姿勢から、手指５３の伸展動作によりペグ１０１を放す際の随意運動（伸展動作）を補助する。ただし、この例に限らず、リハビリテーション支援システム１００は、例えば、対象者５の右手指のリハビリテーションに用いられてもよい。
【００２８】
運動補助装置３は、図２に示すように、手指駆動装置３１と、電気刺激発生装置３２と、を有している。
【００２９】
手指駆動装置３１は、第１指（親指）を除く４本の手指５３（第２指〜第５指）を保持し、これら４本の手指５３に機械的な刺激（外力）を与えることによって、４本の手指５３を動かす装置である。手指駆動装置３１は、例えば、モータ又はソレノイド等の動力源を含み、動力源で発生した力を４本の手指５３に伝えることによって、４本の手指５３を動かす。手指駆動装置３１では、保持した４本の手指５３を、第１指から離れる向きに移動（つまり伸展運動）させる「開動作」と、第１指に近づく向きに移動（つまり把持運動）させる「閉動作」と、の２種類の動作が可能である。手指駆動装置３１の開動作により対象者５の伸展動作が補助され、手指駆動装置３１の閉動作により対象者５の把持動作が補助される。
【００３０】
電気刺激発生装置３２は、対象者５の手指５３を動かすための部位に、電気的な刺激を与える装置である。ここで、対象者５の手指５３を動かすための部位は、対象者５の手指５３の筋肉と神経との少なくとも一方に対応する部位を含む。例えば、対象者５の手指５３を動かすための部位は、対象者５の腕の一部である。電気刺激発生装置３２は、例えば、対象者５の身体（例えば腕）に貼り付けられるパッドを含む。、電気刺激発生装置３２は、パッドから対象者５の身体に電気的な刺激（電流）を与えることによって、手指５３を動かすための部位へ刺激を与える。
【００３１】
制御装置４は、脳波測定システム１０にて取得された脳波情報に基づいて、運動補助装置３を制御する。言い換えれば、制御装置４は、ヘッドセット１の電極部１１にて採取された対象者５の脳波に応じて、運動補助装置３を制御する。制御装置４は、脳波測定システム１０の情報処理装置２、及び運動補助装置３に対して電気的に接続されている。制御装置４には、運動補助装置３及び制御装置４の動作用電力を供給するための電源ケーブルが接続されている。制御装置４は、運動補助装置３の手指駆動装置３１を駆動するための駆動回路、及び電気刺激発生装置３２を駆動するための発振回路を含んでいる。制御装置４は、例えば、有線通信により、情報処理装置２から制御信号を受信する。
【００３２】
制御装置４は、情報処理装置２から第１の制御信号を受信すると、駆動回路にて運動補助装置３の手指駆動装置３１を駆動し、手指駆動装置３１にて「開動作」が行われるように運動補助装置３を制御する。また、制御装置４は、情報処理装置２から第２の制御信号を受信すると、駆動回路にて運動補助装置３の手指駆動装置３１を駆動し、手指駆動装置３１にて「閉動作」が行われるように運動補助装置３を制御する。また、制御装置４は、情報処理装置２から第３の制御信号を受信すると、発振回路にて運動補助装置３の電気刺激発生装置３２を駆動し、対象者５の身体に電気的な刺激が与えられるように運動補助装置３を制御する。
【００３３】
このように、制御装置４は、脳波測定システム１０から出力される制御信号に基づいて、運動補助装置３を制御することによって、脳波測定システム１０にて取得された脳波情報に基づいて運動補助装置３を制御することが可能である。また、制御装置４は、制御装置４に備えられた操作スイッチの操作に応じて、手指駆動装置３１にて「開動作」及び「閉動作」が行われるように運動補助装置３を制御することもできる。
【００３４】
例えば、理学療法士又は作業療法士等の医療スタッフが、対象者５の手指５３を持って対象者５の随意運動を補助する場合と同様に、リハビリテーション支援システム１００にて、随意運動の補助が可能になる。そのため、リハビリテーション支援システム１００によれば、医療スタッフが補助する場合と同様に、対象者５が単独で随意運動を行う場合に比べて効果的な、運動療法によるリハビリテーションを実現可能となる。
【００３５】
ところで、上述のようなリハビリテーションを支援するためには、リハビリテーション支援システム１００は、対象者５が随意運動を行おうとする場合に、運動補助装置３にて対象者５の随意運動を補助することが望ましい。リハビリテーション支援システム１００は、脳波測定システム１０にて測定された対象者５の脳波（脳波情報）に、運動補助装置３を連動させることにより、対象者５の随意運動に合わせた運動補助装置３での随意運動の補助を実現する。言い換えれば、リハビリテーション支援システム１００は、脳活動（脳波）を利用して機械（運動補助装置３）を操作する、ブレイン・マシン・インタフェース（Brain-machine Interface：BMI）の技術を利用して、運動療法によるリハビリテーションを実現する。
【００３６】
対象者５が随意運動を行う際には（つまり、対象者５が随意運動を行う過程で）、脳波に特徴的な変化が生じ得る。つまり、対象者５が随意運動を行おうと企図（想起）した際には、随意運動の対象となる部位に対応する脳領域の活性化が起き得る。このような脳領域の例としては、体性感覚運動皮質が挙げられる。このような脳領域の活性化が起こるタイミングに合わせて、運動補助装置３にて対象者５の随意運動を補助すると、より効果的なリハビリテーションが期待できる。このような脳領域の活性化は、脳波の特徴的な変化として検出され得る。そのため、リハビリテーション支援システム１００は、この特徴的な変化が発生するタイミングに合わせて、運動補助装置３にて対象者５の随意運動の補助を実行する。このような特徴的な変化は、随意運動が実際に行われなくても、対象者５が随意運動を想起（image）した際（つまり運動企図中）に生じ得る。つまり、このような脳波の特徴的な変化は、随意運動が実際に行われなくても、対象者５が随意運動を行おうと企図（想起）したことによって対応する脳領域が活性化すれば、生じ得る。そのため、随意運動が不能な状態の対象者５についても、リハビリテーション支援システム１００による随意運動の補助が可能である。
【００３７】
脳波測定システム１０は、事象関連脱同期（Event-Related Desynchronization：ERD）が生じることで脳波に生じる特定の周波数帯域の強度変化を、特徴的な変化として検出する。本開示でいう「事象関連脱同期」は、随意運動時（随意運動の想起時を含む）に運動野付近で測定される脳波において、特定の周波数帯域のパワーが減少する現象を意味する。本開示でいう、「随意運動時」は、対象者５が随意運動の企図（想起）をしてから随意運動が成功又は失敗するまでの過程を意味する。「事象関連脱同期」は、この随意運動時に、随意運動の企図（想起）をトリガとして、生じ得る。事象関連脱同期によりパワーが減少する周波数帯域は、主としてα波（一例として８Ｈｚ以上１３Ｈｚ未満の周波数帯域）及びβ波（一例として１３Ｈｚ以上３０Ｈｚ未満の周波数帯域）である。
【００３８】
このような構成のリハビリテーション支援システム１００によれば、医療スタッフの負担を軽減しながらも、対象者５においては、効果的な、運動療法によるリハビリテーションを実現可能となる。また、リハビリテーション支援システム１００によれば、例えば、対象者５の随意運動の補助を行う医療スタッフの熟練度等の人的要因によって随意運動の補助のタイミングがばらつくことがなく、リハビリテーションの効果のばらつきが低減される。特に、リハビリテーション支援システム１００では、脳波に特徴的な変化が生じたタイミング（つまり、脳領域が実際に活性化したタイミング）で、対象者５の随意運動を補助することができる。このように、リハビリテーション支援システム１００では、脳活動のタイミングに合わせた訓練が可能となるから、正しい脳活動の学習及び定着への貢献が期待できる。特に、脳波に特徴的な変化が起きたかどうかは、対象者５及び医療スタッフだけでは判別が困難である。したがって、リハビリテーション支援システム１００を用いることで、対象者５又は医療スタッフだけでは実現が難しい効果的なリハビリテーションが可能となる。
【００３９】
ヘッドセット１は、図３Ａ及び図３Ｂに示すように、本体１５と、フレーム１７と、電極部１１とを備えている。本体１５は、箱状であって、内部に信号処理部１２と、通信部１３と、電池１４と、を有している（図２参照）。ヘッドセット１は電池駆動式であって、信号処理部１２及び通信部１３等の動作用電力が電池１４から供給される。
【００４０】
電極部１１は、対象者５の脳波（脳波信号）を採取するための電極であって、例えば、銀−塩化銀電極である。電極部１１は、銀、金、又は白金等でもよい。電極部１１は、第１電極１１１と、第２電極１１２とを有している。図３Ｂに示すように、対象者５の頭部５２の表面に設定された測定箇所５１は、第１測定箇所５１１及び第２測定箇所５１２を含んでいる。第１電極１１１は、第１測定箇所５１１に対応する電極であって、第１測定箇所５１１上に配置される。第２電極１１２は、第２測定箇所５１２に対応する電極であって、第２測定箇所５１２上に配置される。具体的には、第１測定箇所５１１及び第２測定箇所５１２は、頭部５２の正中中心部と右耳５２２の耳珠前点とを結ぶ線上に、正中中心部側（上側）から第１測定箇所５１１、第２測定箇所５１２の順に並んで配置されている。
【００４１】
対象者５が随意運動を行おうと企図（想起）した際には、通常、身体の随意運動を行う部位に対応する運動野にて、特徴的な変化を含む脳波が発生する。そこで、脳波測定システム１０は、リハビリテーションの対象である障害部位に対応する運動野付近から採取される脳波を測定対象とする。ここで、左手指に対応する運動野は対象者５の右脳にあり、右手指に対応する運動野は対象者５の左脳にある。そのため、対象者５の左の手指５３をリハビリテーションの対象とする場合には、対象者５の頭部５２の右側に接触させた電極部１１（第１電極１１１及び第２電極１１２）にて取得される脳波が、脳波測定システム１０での測定対象となる。すなわち、電極部１１（第１電極１１１及び第２電極１１２）は、図３Ｂに示すように、対象者５の頭部５２の右側表面の一部からなる測定箇所５１上に配置される。一例として、国際１０−２０法において電極記号「Ｃ４」で表される位置に電極部１１（第１電極１１１及び第２電極１１２）が配置される。対象者５の右の手指をリハビリテーションの対象とする場合には、対象者５の頭部５２の左側表面の一部からなる測定箇所、一例として、国際１０−２０法において電極記号「Ｃ３」で表される位置に電極部１１（第１電極１１１及び第２電極１１２）が配置される。
【００４２】
また、ヘッドセット１は、参照電極１１３と、アース電極１１４を、更に備えている。参照電極１１３は、第１電極１１１及び第２電極１１２の各々で測定される脳波信号の基準電位を測定するための電極である。参照電極１１３は、頭部５２における左耳５２１又は右耳５２２のいずれかの後方位置に配置される。具体的には、参照電極１１３は、頭部５２において第１電極１１１及び第２電極１１２が配置されている側の耳の後方位置に配置される。図示例では、第１電極１１１及び第２電極１１２は、頭部５２の右側表面に配置されているので、参照電極１１３は、右耳５２２の後方位置に配置される。アース電極１１４は、頭部５２における左耳５２１又は右耳５２２のうち参照電極１１３が配置されていない方の耳の後方位置に配置される。参照電極１１３が右耳５２２の後方位置に配置されるので、アース電極１１４は、左耳５２１の後方位置に配置される。参照電極１１３及びアース電極１１４の各々は、ヘッドセット１の本体１５に対して電線１６にて電気的に接続されており、頭部５２の表面（頭皮）に貼り付けられる。なお、参照電極１１３及びアース電極１１４を配置する位置は、上述したような耳の後方位置ではなく、耳たぶであってもよい。耳の後方位置及び耳たぶは、頭部において脳活動由来の生体電位の影響を受けにくい場所である。つまり、参照電極１１３及びアース電極１１４は、頭部において脳活動由来の生体電位の影響を受けにくい場所に配置されることが好ましい。
【００４３】
信号処理部１２は、電極部１１に電気的に接続されており、電極部１１から入力される脳波信号（電気信号）に対して信号処理を実行し、脳波情報を生成する。脳波信号は、第１電極１１１の電位と、参照電極１１３の電位との電位差である電圧信号、及び第２電極１１２の電位と、参照電極１１３の電位との電位差である電圧信号と、を含む。つまり、ヘッドセット１は、電極部１１にて対象者５の脳の活動電位を測定することで対象者５の脳波を測定し、信号処理部１２にて脳波を表す脳波情報を生成する。信号処理部１２は、少なくとも脳波信号を増幅する増幅器、及びＡ／Ｄ変換するＡ／Ｄ変換器を含んでおり、増幅後のディジタル形式の脳波信号を、脳波情報として出力する。
【００４４】
通信部１３は、情報処理装置２との通信機能を有している。通信部１３は、少なくとも信号処理部１２で生成された脳波情報を情報処理装置２に送信する。本実施形態では、通信部１３は、情報処理装置２と双方向に通信可能である。通信部１３の通信方式は、例えば、Ｂｌｕｅｔｏｏｔｈ（登録商標）等に準拠した無線通信である。通信部１３からは、随時、脳波情報が情報処理装置２に送信される。
【００４５】
フレーム１７は、馬蹄状（言い換えれば、カチューシャ（Alice band）状）である。つまり、フレーム１７は、頭部５２に装着された状態において、正中中心部から左耳珠及び右耳珠に向かう第１方向Ｄ１に延びる形状である。フレーム１７は、第１方向に長い帯状の金属板と、金属板の少なくとも一部を覆う樹脂製のカバーと、で構成されている。フレーム１７は、可撓性を有している。このため、フレーム１７を撓ませることで、フレーム１７の第１方向Ｄ１の両端の間隔を広げることが可能である。したがって、フレーム１７を頭部５２に装着する際には、頭部５２の大きさに応じてフレーム１７を適宜撓ませることで、フレーム１７の第１方向Ｄ１の両端間に頭部５２を通すことが可能である。
【００４６】
フレーム１７の第１方向Ｄ１における中央部には、本体１５が取り付けられている。ここで、本体１５には、図３Ａに示すように、フレーム１７を頭部５２に装着したときに、本体１５が正中中心部に対して適切な位置に配置されているかを確認するための開口部１５１が設けられている。開口部１５１は、本体１５を第１方向Ｄ１及び第２方向Ｄ２の両方に交差する（直交する）方向に貫通している。例えば、医療スタッフは、ヘッドセット１を対象者５の頭部５２に装着する際に、本体１５の開口部１５１を通して頭部５２の正中中心部が視認できる位置に本体１５が配置されるように、ヘッドセット１の装着位置を調整することが可能である。
【００４７】
フレーム１７の第１方向Ｄ１の両端には、それぞれ保持部１８が繋がっている。言い換えれば、フレーム１７が頭部５２に装着された状態において、フレーム１７の左耳珠側の一端と、右耳珠側の一端とに、それぞれ保持部１８が繋がっている。保持部１８は、フレーム１７に対して第１方向Ｄ１に沿って移動可能に構成されている。つまり、保持部１８と、フレーム１７の第１方向Ｄ１の一端との間の距離は、調整可能である。
【００４８】
保持部１８は、図３Ｂに示すように、基部１８Ａと、パッド１８Ｂと、を有している。基部１８Ａ及びパッド１８Ｂは、いずれもフレーム１７が頭部５２に装着された状態において頭部５２に沿うように、湾曲している。
【００４９】
基部１８Ａは、第２方向Ｄ２に長い扁平な直方体状であって、フレーム１７と繋がっている。基部１８Ａの第２方向Ｄ２の一端（ここでは、頭部５２の後頭結節側の一端）は、基部１８Ａの他の部位と比較して第１方向Ｄ１の寸法が大きくなっている。基部１８Ａのうち頭部５２と対向する部位には、面ファスナーが設けられている。
【００５０】
パッド１８Ｂは、第２方向Ｄ２に長い扁平な直方体状であって、基部１８Ａに取り付けられる。パッド１８Ｂは、フレーム１７が頭部５２に装着された状態で基部１８Ａと頭部５２との間に位置し、頭部５２に接触する。パッド１８Ｂは、例えばウレタン樹脂製であって、基部１８Ａよりも硬度が低い。したがって、パッド１８Ｂは、フレーム１７が頭部５２に装着された状態において頭部５２に接触することにより、ヘッドセット１及び頭部５２に挟まれたパッド１８Ｂが変形し、ヘッドセット１から頭部５２に加わる力を低減する。
【００５１】
パッド１８Ｂのうち基部１８Ａと対向する部位には、面ファスナーが貼り付けられている。そして、パッド１８Ｂの面ファスナーを、基部１８Ａの面ファスナーに結合させることで、パッド１８Ｂが基部１８Ａに取り付けられる。このように、パッド１８Ｂは、基部１８Ａに対して着脱可能である。
【００５２】
一対の引掛け部１８４は、保持部１８の第２方向Ｄ２の両端にそれぞれ設けられている。引掛け部１８４は、フック状に形成されており、バンドの一端が引っ掛かるように構成されている。バンドは、頭部５２の周方向（第２方向Ｄ２）に沿って長い形状であって、弾性を有している。バンドは、その両端をそれぞれ一対の保持部１８の前頭部側及び／又は後頭部側の引掛け部１８４に引っ掛けることにより、頭部５２に装着される。バンドを装着することにより、ヘッドセット１が頭部５２により強固に固定される。このため、対象者５の姿勢の変化等によってヘッドセット１の位置ずれが生じるのを抑制することができる。
【００５３】
フレーム１７には、一対の取付部１９が更に設けられている。一対の取付部１９は、第１方向Ｄ１において、本体１５を挟んだ両側にそれぞれ設けられている。一対の取付部１９のうち少なくとも一方は、第１電極１１１及び第２電極１１２を有している。本実施形態では、一対の取付部１９のうち対象者５の右耳５２２側の取付部１９が第１電極１１１及び第２電極１１２を有している。
【００５４】
取付部１９は、ベース１９０と、第１ケース１９１と、第２ケース１９２と、ハンドル１９３と、を有している。ベース１９０は、フレーム１７を第２方向Ｄ２において挟み込む形状を有している。ベース１９０は、フレーム１７に沿って第１方向Ｄ１に移動可能に構成されている。したがって、第１方向Ｄ１においてフレーム１７に対するベース１９０の位置を調整することにより、結果として電極部１１（第１電極１１１及び第２電極１１２）の位置を調整することが可能である。
【００５５】
ハンドル１９３は、ベース１９０に設けられている。ハンドル１９３は、ベース１９０がフレーム１７に対して固定された状態と、ベース１９０がフレーム１７に対して移動可能な状態とを択一的に切り替えるために用いられる。具体的には、ハンドル１９３を締め付けることにより、ベース１９０がフレーム１７に対して固定された状態となり、ハンドル１９３を緩めることにより、ベース１９０がフレーム１７に対して移動可能な状態となる。
【００５６】
第１ケース１９１及び第２ケース１９２は、いずれも楕円形状の底部を有する筒体である。第１ケース１９１は、第１底部（頭部５２と対向する底部）がベース１９０に取り付けられており、内部に第１電極１１１及び第２電極１１２が保持されている。第１電極１１１及び第２電極１１２は、いずれも第１端（頭部５２と対向する一端）が第１ケース１９１から突出している。第１電極１１１及び第２電極１１２は、いずれも第１ケース１９１からの突出量を変更できるように、第１ケース１９１に対して相対的に移動可能に構成されている。第１ケース１９１には、コイルばねが収納されている。コイルばねは、第１電極１１１及び第２電極１１２の第２端と、第１ケース１９１の第２底部（第１底部と反対側の底部）との間に配置されている。コイルばねの一端は、第１ケース１９１の底部に固定されている。
【００５７】
第２ケース１９２は、第１端（頭部５２と対向する一端）が開口しており、第１ケース１９１よりも頭部５２の表面（頭皮）の法線方向から見たときの外形が大きい。第２ケース１９２は、開口を通して内側に第１ケース１９１の一部を収納するように、第１ケース１９１と組み合わされている。第２ケース１９２は、コイルスプリングが伸縮する方向において、第１位置と第２位置との間で、第１ケース１９１に対して相対的に移動可能に構成されている。第１位置では、第２ケース１９２からの第１ケース１９１の突出量が最小となり、第２位置では、第２ケース１９２からの第１ケース１９１の突出量が最大となる。第２ケース１９２の第２端（第１端と反対側の一端）の内底部には、第１ケース１９１の第２底部を貫通するシャフトの第１端が固定されている。シャフトの第２端は、第１電極１１１及び第２電極１１２に固定されている。したがって、第２ケース１９２を第１ケース１９１に対して第１位置と第２位置との間で移動させることにより、第２ケース１９２及びシャフトの移動に伴って第１電極１１１及び第２電極１１２も移動する。つまり、第２ケース１９２を第１ケース１９１に対して移動させることにより、第１電極１１１及び第２電極１１２の第１ケース１９１からの突出量を調整することが可能である。
【００５８】
さらに、第２ケース１９２は、第２位置において、第１ケース１９１に対して第２方向Ｄ２に移動可能に構成されている。そして、第２ケース１９２を第２位置において第２方向Ｄ２に移動させることにより、第２ケース１９２の第１端が第１ケース１９１の第２底部に引っ掛かる。ここで、第２ケース１９２を引っ張ることで、第２ケース１９２を第１位置から第２位置に移動させると、第１電極１１１及び第２電極１１２が第１ケース１９１の内側へと移動してコイルばねが圧縮される。そして、第２ケース１９２を引っ張る力を解除すると、コイルばねの弾性力により第１電極１１１及び第２電極１１２が元の状態に復帰する。一方、上述のように第２ケース１９２を第１ケース１９１に引っ掛けた場合、第２ケース１９２の第２位置から第１位置への移動が規制されるので、コイルばねが圧縮した状態を維持させることができる。つまり、この場合、第１電極１１１及び第２電極１１２が第１ケース１９１の内側へ移動した状態を維持させることができる。
【００５９】
ヘッドセット１が対象者５の頭部５２に装着された状態では、第１電極１１１及び第２電極１１２の各々が頭部５２に押されて第１ケース１９１の内側へ移動した状態に維持される。つまり、第１電極１１１及び第２電極１１２の各々は、圧縮されたコイルばねの弾性力によって頭部５２の測定箇所５１を押している。ヘッドセット１で対象者５の脳波を計測する際、第１電極１１１及び第２電極１１２を頭部５２の測定箇所５１に密着させることが望ましい。そのためにヘッドセット１では、第１電極１１１及び第２電極１１２をコイルばねの弾性力で測定箇所５１に押し当てることにより、第１電極１１１及び第２電極１１２と測定箇所５１の密着度を高めている。ここで、第１電極１１１及び第２電極１１２が測定箇所５１に押し当てられる時間が長くなればなるほど、第１電極１１１及び第２電極１１２が押し当てられている測定箇所５１に紅斑が生じ易くなる。そして、測定箇所５１に紅斑が生じた場合、当該紅斑が持続性の紅斑なのか一時的な紅斑なのかを見極める（評価する）必要がある。持続性の紅斑は、血管の破綻によって赤血球が漏出して生じ、やがて褥瘡になる可能性が高いと考えられる。褥瘡は不可逆的に阻血障害に陥った状態であるので、発生初期には紅斑となって現れることが多い。一方、一時的な紅斑は、真皮深層の微小血管の拡張による反応性充血であって褥瘡ではない。
【００６０】
一般に、持続性の紅斑と一時的な紅斑を簡易的に見分ける方法として、指押し法がある。指押し法は、検査者が紅斑部分を指で３秒押して当該紅斑部分が白っぽく変化するかどうかを見て判定する方法である。紅斑部分が白くなる場合は、可逆性のある皮膚の状態（反応性充血）であって褥瘡ではないと判定でき、白く消退しない場合は持続性の紅斑で褥瘡と判定できる。
【００６１】
しかしながら、上述のような指押し法では検査者の個人差による判定結果のばらつきが大きいという問題がある。そこで、従来技術で説明したような方法で測定箇所５１の紅斑値を測定し、紅斑値に基づいて、当該紅斑が持続性の紅斑なのか一時的な紅斑なのかを判定することが好ましい。ただし、上述したヘッドセット１の装着によって紅斑が生じる測定箇所５１に頭髪が生えている場合、例えリハビリテーションを行うためとはいえ、頭髪を剃ることを対象者５に納得させることは難しい。一方、頭髪を剃らずに頭髪の下の頭皮の紅斑値を測定しようとすれば、頭髪の影響で紅斑値の測定精度が著しく低下する可能性がある。したがって、対象者５の測定箇所５１に生じる炎症（紅斑）を評価するに当たっては、頭髪を剃らずに測定値（紅斑値）に対する頭髪の影響をできるだけ低減することが望まれている。
【００６２】
次に、本実施形態の炎症の評価システム（以下、評価システムと略す）６を説明する。評価システム６は、図４に示すように、測定器７で測定された測定値（紅斑値とメラニン値）を用いて患部の炎症を評価する。
【００６３】
本実施形態の評価システム６で使用する測定器７は、プローブ７０と、ＬＥＤ駆動回路７１と、受光回路７２と、制御回路７３と、伝送回路７４とを備えている。
【００６４】
プローブ７０は、内部に空洞を有する円筒形状のプローブ本体７００を有する。プローブ本体７００の底面には円形の開口７０００が設けられている。プローブ本体７００の内部空間に複数（例えば、１６個）のＬＥＤ７０２と受光部７０３が収容されている。
【００６５】
複数のＬＥＤ７０２には、放射光の波長が互いに異なる複数種類のＬＥＤ、例えば、波長が５６８ｎｍの緑色光を放射するＬＥＤと、波長が６６０ｎｍの赤色光を放射するＬＥＤと、波長が８８０ｎｍの赤外光を放射するＬＥＤとが含まれる。これら３種類のＬＥＤを含む複数のＬＥＤ７０２は、プローブ本体７００内に設けられている遮光板７０１の一面（図４における下面）に配置されている。
【００６６】
遮光板７０１は、中央に円形の貫通孔７０１０を有する円板状に形成されている。遮光板７０１は、貫通孔７０１０をプローブ本体７００の開口７０００に正対させるようにプローブ本体７００内に配置されている。
【００６７】
受光部７０３は、例えば、ガラスレンズ付きのキャンにフォトダイオードチップを収容した光電変換素子である。ただし、受光部７０３はフォトダイオードチップを有する光電変換素子に限定されず、フォトトランジスタを有する光電変換素子などであってもかまわない。受光部７０３は、光軸が遮光板７０１の貫通孔７０１０の中心を通ってプローブ本体７００の開口７０００の中心と交わるようにプローブ本体７００内に収容されている。
【００６８】
ＬＥＤ駆動回路７１は、複数のＬＥＤ７０２のうちで放射光の波長が同一である同種のＬＥＤ７０２毎に駆動電流を供給して発光させることができるように構成されている。例えば、ＬＥＤ駆動回路７１は、定電流回路とアナログスイッチを有している。アナログスイッチは、同種のＬＥＤ７０２と定電流回路との電気的な接続状態を入切する。定電流回路は、アナログスイッチを介して電気的に接続される複数のＬＥＤ７０２に定電流を供給する。なお、アナログスイッチの入切は、制御回路７３によって制御される。
【００６９】
受光回路７２は、受光部７０３に対して順方向の定電圧を印加し、かつ、受光部７０３に流れる順方向電流の大きさを測定する。さらに、受光回路７２は、順方向電流の大きさ（受光部７０３の受光光量）に対応した電圧値を持つ測定信号を制御回路７３に出力する。
【００７０】
制御回路７３は、例えば、マイクロコントローラで構成される。制御回路７３は、ＬＥＤ駆動回路７１に対してアナログスイッチを入切させる制御信号と、ＬＥＤ駆動回路７１に対して複数のＬＥＤ７０２のうち同一の波長の光を放射する複数のＬＥＤ７０２を駆動させるように指示する制御信号とを送信する。また、制御回路７３は、受光回路７２が出力する測定信号をＡＤ変換して取り込み、ディジタル化された測定信号のデータ（測定データ）から各波長毎の光強度を求め、求めた光強度を内蔵のメモリに格納する。さらに、制御回路７３は、３種類の光（緑色光、赤色光、赤外光）のうちの緑色光の光強度と赤色光の光強度を用いて紅斑値（ヘモグロビン濃度）を測定し、赤色光の光強度と赤外光の光強度を用いてメラニン値（メラニン色素濃度）を測定する。ただし、制御回路７３は、１回当たり約１秒間の測定処理において紅斑値とメラニン値を一度に測定することができる。つまり、本実施形態においては、メラニン値（メラニン色素濃度）が強度値に該当する。
【００７１】
伝送回路７４は、例えば、ＲＳ−２３２Ｃなどの汎用のシリアル通信インタフェースを有している。伝送回路７４は、制御回路７３で測定した紅斑値とメラニン値を含む測定値のデータを、伝送線を介して評価システム６に伝送する。なお、伝送回路７４は、伝送線を介して、評価システム６から制御コマンドなどのデータを受信することもできる。ただし、伝送回路７４は、例えば、ＲＳ−４８５及びＵＳＢ（Universal Serial Bus）などのＲＳ−２３２Ｃ以外のシリアル通信インタフェースを有していてもよいし、パラレル通信インタフェースを有していてもよい。
【００７２】
上述のような測定器７の具体例としては、皮膚メラニン色素・ヘモグロビン計測器（Courage + Khazaka electronic GmbH社製のMexameter MX18）などがある。この皮膚メラニン色素・ヘモグロビン計測器が測定器７として用いられれば、対象者５の測定箇所５１の紅斑値とメラニン値を短時間で測定することができる。ただし、測定器７は、上記皮膚メラニン色素・ヘモグロビン計測器に限定されない。
【００７３】
本実施形態の評価システム６は、図４に示すように、取得部６０と、評価部６１とを備える。評価システム６は、記憶部６２と通知部６３とを更に備えることが好ましい。
【００７４】
取得部６０は、測定器７の伝送回路７４との間で伝送線を介したデータ伝送を行うことにより、測定器７から測定値を取得する。つまり、取得部６０は、測定器７の伝送回路７４が有する通信インタフェースと同一の通信インタフェースを有している。
【００７５】
評価部６１は、取得部６０で取得する複数の測定値のうちから所定の条件を満たす測定値を評価候補の測定値として選出する。さらに、評価部６１は、１つ以上の評価候補の測定値に基づいて患部（対象者５の頭部５２の測定箇所５１）の炎症（紅斑）を評価する。
【００７６】
記憶部６２は、フラッシュメモリのような電気的に書換可能な不揮発性の半導体メモリで構成されることが好ましい。通知部６３は、液晶ディスプレイと、液晶ディスプレイを駆動する駆動回路とを有することが好ましい。通知部６３は、評価部６１の評価結果を表すメッセージ又は記号などを液晶ディスプレイに表示させることによって評価者に通知する。ただし、通知部６３は、ブザー又はスピーカなどの音響デバイスを有し、評価結果を音（ブザー音又は音声メッセージなど）で通知してもかまわない。
【００７７】
ここで、取得部６０、評価部６１並びに記憶部６２は、マイクロコントローラのようにコンピュータシステムを１つの半導体チップに集積した半導体部品で構成されてもよい。あるいは、取得部６０、評価部６１並びに記憶部６２は、それぞれ独立した電子回路で構成されてもよい。いずれの構成においても、評価部６１は、マイクロプロセッサからなるハードウェアと、マイクロプロセッサによって実行されるプログラムを含むソフトウェアとを有している。
【００７８】
次に、本実施形態の評価システム６の動作（本実施形態の評価方法）について説明する。本実施形態の評価システム６による炎症の評価は、上述したリハビリテーション支援システム１００によるリハビリテーションを行った対象者５の頭部５２の測定箇所５１に対して行われる。
【００７９】
まず、評価システム６の評価部６１は、測定回数（の変数）ｎを１に初期化する（図５のフローチャートのステップＳ１）。評価システム６を操作する操作者は、測定器７のプローブ７０を対象者５の測定箇所５１に接触させて紅斑値とメラニン値を測定する。ただし、操作者は、測定箇所５１の頭髪がプローブ７０と頭皮との間にできるだけ挟まれないように頭髪を指で除けながら測定することが望ましい。また、操作者は、測定箇所５１において操作者が眼で見て紅斑値が最も高いであろうと判断する場所にプローブ７０を接触させて測定することが望ましい。ここで、操作者は、１回の測定作業が終わるたびにプローブ７０を対象者５の測定箇所５１から一旦離した後、再度測定箇所５１に接触させて次回の測定作業を開始して紅斑値及びメラニン値を所定回数（本実施形態では７回）測定する。
【００８０】
ここで、測定器７で測定されるメラニン値は、測定箇所５１の頭皮に沈着しているメラニン色素濃度と頭髪に含まれるメラニン色素濃度を合わせた値である。つまり、対象者５の頭髪の色が黒色である場合、メラニン値が高い程、プローブ７０と頭部５２の測定箇所５１との間に挟まれた頭髪の量が多いと推定される。ただし、対象者５の頭髪の色が白色（白髪）である場合、メラニン値が低い程、プローブ７０と頭部５２の測定箇所５１との間に挟まれた頭髪の量が多いと推定される。以下の説明においては、対象者５の頭髪の色を黒色とする。
【００８１】
評価システム６の取得部６０は、測定器７で測定された７回分の測定値（紅斑値及びメラニン値）を測定器７から取得する（図５のフローチャートのステップＳ２）。評価部６１は、取得部６０が取得した７回分の測定値F1(Xk,Yk)を記憶部６２に記憶させる。ただし、Xkは、１回の測定作業で７回測定されたうちのｋ回目の紅斑値であり、Ykは、１回の測定作業で７回測定されたうちのｋ回目のメラニン値である。
【００８２】
評価部６１は、取得部６０から７回分の測定値F1(Xk,Yk)を受け取ると、測定回数ｎをインクリメントし（図５のフローチャートのステップＳ３）、測定回数ｎが５回以上か否かを判断する（図５のフローチャートのステップＳ４）。評価部６１は、測定回数ｎが５回未満であれば、カウントダウンタイマをスタートし（図５のフローチャートのステップＳ５）、カウントダウンタイマが所定時間（例えば、１５分）をカウントアップするまで待機する（図５のフローチャートのステップＳ６）。
【００８３】
操作者は、評価部６１のカウントダウンタイマが所定時間をカウントアップすると、測定器７を用いて対象者５の測定箇所５１の紅斑値とメラニン値を７回測定する。評価システム６の取得部６０は、測定器７で測定された７回分の測定値を測定器７から取得する（図５のフローチャートのステップＳ２）。評価部６１は、取得部６０が取得した７回分の測定値F2(Xk,Yk)を記憶部６２に記憶させる。
【００８４】
評価部６１は、取得部６０から７回分の測定値F2(Xk,Yk)を受け取ると、測定回数ｎをインクリメントし（図５のフローチャートのステップＳ３）、測定回数ｎが５回以上か否かを判断する（図５のフローチャートのステップＳ４）。評価部６１は、測定回数ｎが５回未満であれば、カウントダウンタイマをスタートし（図５のフローチャートのステップＳ５）、カウントダウンタイマが所定時間をカウントアップするまで待機する（図５のフローチャートのステップＳ６）。
【００８５】
図５のフローチャートのステップＳ２〜ステップＳ６の処理は、評価の開始から６０分が経過するまで１５分ごとにくり返される。その結果、評価システム６の記憶部６２には、７個×５回＝３５個の測定値Fi(Xk,Yk)（ただし、ｉ＝１〜５、ｋ＝１〜７）が記憶される。
【００８６】
続いて、評価部６１は、１回目（評価開始直後）から５回目（評価開始から約６０分経過後）までの各回毎に、７個の測定値Fi(Xk,Yk)のうちから評価候補の測定値を選出する（図６のフローチャートのステップＳ７）。つまり、対象者５の頭髪の色が黒色であるので、測定器７のプローブ７０と測定箇所５１の頭皮との間に挟まれる頭髪の量が多い程、測定値Fi(Xk,Yk)におけるメラニン値Ykが高くなる。したがって、評価部６１は、メラニン値Ykが所定の上限値（第１しきい値）Yth以上である測定値Fi(Xk,Yk)を評価の対象（評価候補）から外すことにより、頭髪の影響が相対的に少ないと推定される測定値Fi(Xk,Yk)を用いて炎症を評価することができる。ただし、上限値Ythは、対象者５の測定箇所５１の頭皮のメラニン値が高い程、高い値に設定されることが好ましい。
【００８７】
図７は、Ｘ軸を紅斑値とし、Ｙ軸をメラニン値とした２次元直交座標系に、ｉ回目の７個の測定値Fi(Xk,Yk)をプロットした図である。評価部６１は、図７においてＸ軸に平行な破線で示される上限値Yth以上のメラニン値Ykを有する４つの測定値Fi(X1,Y1)、Fi(X2,Y2)、Fi(X4,Y4)、Fi(X7,Y7)除いた３つの測定値Fi(X3,Y3)、Fi(X5,Y5)、Fi(X6,Y6)を評価候補の測定値に選出する。 
【００８８】
評価部６１は、各回ごとに選出した評価候補の測定値における紅斑値の平均値を算出する（図６のフローチャートのステップＳ８）。評価部６１は、各回の紅斑値の平均値が評価開始時点（ヘッドセット１が頭部５２から取り外された時点）からの時間経過とともに減少しているか否かを判定する（図６のフローチャートのステップＳ９）。図８は、ヘッドセット１が頭部５２から取り外された時点からの経過時間（０分、１５分、３０分、４５分、６０分）を横軸にとり、紅斑値の平均値を縦軸にとって各回の紅斑値の平均値（以下、平均値と略す）の時間的な変化を表した折れ線グラフを示している。なお、図８において経過時間０分よりも前の時間の平均値は、対象者５がリハビリテーション支援システム１００によるリハビリテーションを行う前（事前）に測定された平均値である。
【００８９】
評価部６１は、各回の平均値が評価開始時点からの時間経過とともに減少していると判定すると、次に、最終回（６０分経過後）の平均値と事前の平均値との差の絶対値を所定のしきい値と比較する（図６のフローチャートのステップＳ１０）。評価部６１は、最終回の平均値と事前の平均値との差の絶対値がしきい値以下であれば、対象者５の測定箇所５１における紅斑が一時的な紅斑であるから、特に問題はない（評価結果ＯＫ）と判定する（図６のフローチャートのステップＳ１１）。一方、評価部６１は、最終回の平均値と事前の平均値との差の絶対値がしきい値より高ければ、対象者５の測定箇所５１における紅斑が持続性の紅斑であるから、問題がある（評価結果ＮＧ）と判定する（図６のフローチャートのステップＳ１２）。また、評価部６１は、各回の平均値が評価開始時点からの時間経過とともに減少していないと判定した場合も評価結果ＮＧと判定する（図６のフローチャートのステップＳ９、ステップＳ１２）。最後に、評価部６１は、評価結果を通知部６３に通知させる（図６のフローチャートのステップＳ１３）。
【００９０】
評価システム６は、上述のようにして対象者５の測定箇所５１に生じた炎症（紅斑）が一時的な紅斑であるか、持続性の紅斑であるかを評価し、その評価結果を通知する。評価結果がＮＧ、すなわち、測定箇所５１の紅斑が持続性の紅斑である評価された場合、対象者５に対するリハビリテーションを中止し、対象者５の測定箇所５１に生じた紅斑を治療することが望ましい。
【００９１】
上述した評価システムの動作（評価部６１のマイクロプロセッサがプログラムに従って実行する処理）は一例に過ぎない。また、評価部６１（マイクロプロセッサ）が測定箇所５１の紅斑に対して最終的な評価を行っているが、評価部６１から通知される紅斑値の経時変化に基づいて、作業者が測定箇所５１の紅斑に対して最終的な評価を行ってもかまわない。また、評価システム６と同様の機能は、コンピュータシステムに評価方法を実行させるためのプログラムを記録した非一時的記録媒体で具現化されてもよい。
【００９２】
また、対象者５の頭髪の色が白色である場合、評価部６１は、メラニン値が所定の下限値（第２しきい値）未満である測定値を評価候補から外すことにより、頭髪（白髪）の影響が相対的に少ないと推定される測定値を用いて炎症を評価することができる。ただし、下限値は、対象者５の測定箇所５１の頭皮のメラニン値が低い程、低い値に設定されることが好ましい。
【００９３】
なお、本実施形態では、対象者５の頭部５２に装着される脳活動計測装置として、頭部５２に接触された脳波電極（電極部１１）によって脳波を計測するように構成されたヘッドセット１を例示したが、脳活動計測装置はヘッドセット１に限定されない。ヘッドセット１以外の脳活動計測装置として、例えば、機能的近赤外分光装置を挙げることができる。機能的近赤外分光装置は、近赤外光を放射する発光装置と、近赤外光を受光して電気信号に変換する光電変換装置とを有している。機能的近赤外分光装置は、発光装置と光電変換装置を頭皮に接触させ、発光装置の近赤外光を脳内に照射し、大脳皮質の脳表に反射する近赤外光（反射光）を光電変換装置で光電変換することにより大脳皮質の脳表の血流状態（脳活動）を計測する。つまり、機能的近赤外分光装置においては、発光装置と光電変換装置で頭部５２の測定箇所５１が押されることにより、測定箇所５１に紅斑が生じる可能性がある。
【００９４】
上述のように本開示の第１の態様に係る炎症の評価システム（６）は、皮膚に生じる炎症を評価する。第１の態様に係る評価システム（６）は、測定器（７）によって測定される皮膚の測定箇所（５１）における紅斑値及び紅斑の色と異なる色の強度値（メラニン値）を含む測定値を取得する取得部（６０）を備える。第１の態様に係る評価システム（６）は、取得部（６０）で取得する複数の測定値に含まれる紅斑値に基づいて炎症を評価する評価部（６１）を備える。評価部（６１）は、複数の測定値の各々における強度値（メラニン値）が所定の範囲内に収まっている測定値を評価候補の測定値に選出する。評価部（６１）は、評価候補の測定値に含まれる紅斑値に基づいて炎症を評価する。
【００９５】
第１の態様に係る炎症の評価システム（６）は、強度値（メラニン値）が所定の範囲内でない測定値を評価候補から除外することにより、皮膚に生えている体毛の影響が少ないと推定される紅斑値に基づいて炎症を評価する。その結果、第１の態様に係る炎症の評価システム（６）は、評価の精度低下の抑制を図ることができる。
【００９６】
本開示の第２の態様に係る炎症の評価システム（６）は、第１の態様との組み合わせにより実現され得る。第２の態様に係る評価システム（６）において、評価部（６１）は、強度値を第１しきい値及び第１しきい値よりも低い第２しきい値のうちの少なくとも一方のしきい値と比較することが好ましい。評価部（６１）は、複数の測定値のうちの強度値が第１しきい値以下、もしくは強度値が第２しきい値以上の測定値を評価候補の測定値に選出することが好ましい。
【００９７】
第２の態様に係る評価システム（６）は、体毛の色が黒色の場合と体毛の色が白色の場合のいずれの場合においても評価の精度低下の抑制を図ることができる。
【００９８】
本開示の第３の態様に係る炎症の評価システム（６）は、第１又は第２の態様との組み合わせにより実現され得る。第３の態様に係る評価システム（６）において、取得部（６０）は、所定時間毎に測定器（７）で測定される複数の測定値を取得することが好ましい。評価部（６１）は、所定時間毎に取得された複数の測定値から評価候補の測定値を選出することが好ましい。評価部（６１）は、評価候補の測定値における紅斑値の時間的な変化に基づいて炎症を評価することが好ましい。
【００９９】
第３の態様に係る評価システム（６）は、評価部（６１）が評価候補の測定値における紅斑値の時間的な変化に基づいて炎症を評価することにより、炎症による紅斑が一時的な紅斑と持続性の紅斑のいずれに該当するかを評価することができる。
【０１００】
本開示の第４の態様に係る炎症の評価システム（６）は、第１〜第３の態様のうちのいずれか１つの態様との組み合わせにより実現され得る。第４の態様に係る評価システム（６）において、少なくとも評価候補の測定値に含まれる紅斑値を記憶する記憶部（６２）を備えることが好ましい。評価部（６１）は、記憶部（６２）に記憶した紅斑値に基づいて炎症を評価することが好ましい。
【０１０１】
第４の態様に係る評価システム（６）は、評価部（６１）が記憶部（６２）に記憶した紅斑値に基づいて炎症を評価するので、測定値の測定直後に限らず、任意のタイミングで炎症を評価することができる。
【０１０２】
本開示の第５の態様に係る評価方法は、皮膚に生じる炎症を評価する評価方法である。第５の態様に係る評価方法は、測定器（７）によって測定される皮膚の測定箇所（５１）における紅斑値及び紅斑の色と異なる色の強度値を含む測定値を取得する。第５の態様に係る評価方法は、複数の測定値の各々における強度値（メラニン値）が所定の範囲内に収まっている測定値を評価候補の測定値に選出する。第５の態様に係る評価方法は、評価候補の測定値に含まれる紅斑値に基づいて炎症を評価する。
【０１０３】
第５の態様に係る評価方法は、評価の精度低下の抑制を図ることができる。
【０１０４】
本開示の第６の態様に係るプログラムは、コンピュータシステム（評価部６１）に、第５の態様に係る評価方法を実行させる。
【０１０５】
第６の態様に係るプログラムは、評価の精度低下の抑制を図ることができる。
【０１０６】
本開示の第７の態様に係る非一時的記録媒体は、コンピュータシステムに、第５の態様に係る評価方法を実行させるためのプログラムを記録した、コンピュータシステムで読み取り可能な非一時的記録媒体である。
【０１０７】
第７の態様に係る非一時的記録媒体は、評価の精度低下の抑制を図ることができる。
【符号の説明】
【０１０８】
６  炎症の評価システム
７  測定器
５１  測定箇所
６０  取得部
６１  評価部
６２  記憶部
【図１】
2019078327.tif 000003
【図２】
2019078327.tif 000004
【図３】
2019078327.tif 000005
【図４】
2019078327.tif 000006
【図５】
2019078327.tif 000007
【図６】
2019078327.tif 000008
【図７】
2019078327.tif 000009
【図８】
2019078327.tif 000010
【国際調査報告】
2019078327.tif 000011
2019078327.tif 000012
2019078327.tif 000013
2019078327.tif 000014